(57)【要約】【課題】吊下げ可能かつ表紙部材および被綴じ部材が回動可能であり、容易に製造できる掲示用ファイルを提供する。【解決手段】被綴じ部材12の前側に配置される前面表紙部材14と、被綴じ部材12の後側に配置される背面表紙部材15とを備える。前面表紙部材14および背面表紙部材15の上側縁部に綴じ部16を設け、前面表紙部材14または背面表紙部材15のいずれかの上側縁部に凸部17を一体に形成し、この凸部にフック係合部19を設ける。さらに、前面表紙部材14または背面表紙部材15の凸部17が形成されていない表紙部材における上側縁部に、凸部17と対応する形状の凹部18を一体に形成する。そして、表紙部材それぞれの綴じ部16にて、前面表紙部材14および背面表紙部材15を被綴じ部材12とともに綴じ部材20によって回動可能に支持する。【選択図】図１
2009006691.tif 000002
【特許請求の範囲】
【請求項１】
被綴じ部材の前側に配置される前面表紙部材と、
被綴じ部材の後側に配置される背面表紙部材とを備え、
前記前面表紙部材および前記背面表紙部材の上側縁部にそれぞれ綴じ部を設け、
前記前面表紙部材または前記背面表紙部材のいずれかの上側縁部に凸部を一体に形成し、
この凸部にフック係合部を設け、
前記前面表紙部材または前記背面表紙部材の前記凸部が形成されていない表紙部材における上側縁部に、前記凸部と対応する形状の凹部を一体に形成し、
前記綴じ部にて、前記前面表紙部材および前記背面表紙部材を前記被綴じ部材とともに綴じ部材により回動可能に支持した
ことを特徴とする掲示用ファイル。
【請求項２】
前面表紙部材または背面表紙部材のいずれかには、下側縁部に折返部を形成し、
この折返部の下側縁部には、係合凸部を設け、
この係合凸部の突出方向の中間部には、前記折返部の下側縁部と略平行な折曲線を形成し、
この折曲線の折曲によって突出する係合維持部を前記折曲線から切込み形成し、
前記前面表紙部材または背面表紙部材の前記折返部が形成されていない表紙部材には、前記折返部の前記係合凸部と係合可能な係合孔部を設けた
ことを特徴とする請求項１記載の掲示用ファイル。
【発明の詳細な説明】
【技術分野】
【０００１】
本発明は、吊下げ可能かつ表紙部材および被綴じ部材が回動可能な掲示用ファイルに関する。
【背景技術】
【０００２】
例えばカレンダ等のような掲示用ファイルは、前面表紙部材と背面表紙部材とを備え、これら前面表紙部材および背面表紙部材の上側縁部には綴じ部が設けられ、この綴じ部にて前記前面表紙部材および前記背面表紙部材を被綴じ部材とともに例えばダブルリングやスパイラルリング等の綴じ部材により回動可能に支持される。
【０００３】
さらに、前記前面表紙部材および前記背面表紙部材の上側縁部に吊下げ可能なフック係合部材が取付けられて、前記掲示用ファイルが吊下げ可能であり、表紙部材および被綴じ部材が回動可能に構成されている。
【０００４】
このような掲示用ファイルでは、前記前面表紙部材および前記背面表紙部材と綴じ部材とフック部材とが別々に形成されており、それぞれを製造して組み付けるので、組立てに手数が掛り容易に製造できないとともに、コストアップの原因となっていた。
【０００５】
そして、吊下げ可能かつ表紙部材および被綴じ部材が回動可能に構成されたものにおいて、表紙部材および被綴じ部材の上側縁部にこれら表紙部材および被綴じ部材をそれぞれ綴じ合わせる綴じ部を設け、この綴じ部と、中央部にフック係合部が彎曲形成された吊杆とを係合することにより、吊下げ可能かつ前記表紙部材および前記被綴じ部材が回動可能に構成された吊下げ式両面印刷カレンダがある（例えば、特許文献１参照。）。
【特許文献１】実開平４−1２２０７２号公報（第４−６頁、図７）
【発明の開示】
【発明が解決しようとする課題】
【０００６】
しかしながら、上述した特許文献１に記載された吊下げ式両面印刷カレンダでは、表紙部材および被綴じ部材をそれぞれ綴じ合わせる綴じ部を形成し、さらに、この綴じ部に係合して前記吊下げ式両面印刷カレンダを吊下げ可能とする吊杆を形成する必要があり、また、吊杆は中央部にフック係合部が彎曲形成された形状であるので他の物では代用し難く、容易に製造できないという問題がある。
【０００７】
本発明はこのような点に鑑みなされたもので、吊下げ可能かつ表紙部材および被綴じ部材が回動可能であり、容易に製造できる掲示用ファイルを提供する。
【課題を解決するための手段】
【０００８】
請求項１に記載された発明は、被綴じ部材の前側に配置される前面表紙部材と、被綴じ部材の後側に配置される背面表紙部材とを備え、前記前面表紙部材および前記背面表紙部材の上側縁部にそれぞれ綴じ部を設け、前記前面表紙部材または前記背面表紙部材のいずれかの上側縁部に凸部を一体に形成し、この凸部にフック係合部を設け、前記前面表紙部材または前記背面表紙部材の前記凸部が形成されていない表紙部材における上側縁部に、前記凸部と対応する形状の凹部を一体に形成し、前記綴じ部にて、前記前面表紙部材および前記背面表紙部材を前記被綴じ部材とともに綴じ部材により回動可能に支持したものである。
【０００９】
請求項２に記載された発明は、請求項１に記載された掲示用ファイルにおいて、前面表紙部材または背面表紙部材のいずれかには、下側縁部に折返部を形成し、この折返部の下側縁部には、係合凸部を設け、この係合凸部の突出方向の中間部には、前記折返部の下側縁部と略平行な折曲線を形成し、この折曲線の折曲によって突出する係合維持部を前記折曲線から切込み形成し、前記前面表紙部材または背面表紙部材の前記折返部が形成されていない表紙部材には、前記折返部の前記係合凸部と係合可能な係合孔部を設けたものである。
【発明の効果】
【００１０】
請求項１に記載された発明によれば、前面表紙部材および背面表紙部材にフック係合部を具備する凸部、またはこの凸部に対応する形状の凹部を設けたので、綴じ部材によって前記前面表紙部材、前記背面表紙部材および被綴じ部材を回動可能に支持でき、前記フック係合部にて吊下げることができる。
【００１１】
また、シート体を前記前面表紙部材および前記背面表紙部材の形状に成形し、綴じ部材を取付けるだけで、容易に製造できる。
【００１２】
さらに、凸部と凹部とはそれぞれが対応した形状であるので、前面表紙部材および背面表紙部材を一枚のシート体から成形することも可能であり、このように一枚のシート体から成形することでより効率的に製造できる。
【００１３】
請求項２に記載された発明によれば、係合凸部と係合孔部とを係合することにより、掲示用ファイルが自立できる。
【００１４】
また、前記係合孔部の内側から外側へ挿通して係合した前記係合凸部を折曲線にて折曲し、前記係合凸部および係合維持部を表紙部材の外面部に引掛けることにより、前記掲示用ファイルの自立状態を確実に維持できる。
【発明を実施するための最良の形態】
【００１５】
以下、本発明の第１の実施の形態を図１乃至図３を参照しながら説明する。
【００１６】
図２に示されるように、掲示用ファイル11は、例えば紙片収納ホルダ等の被綴じ部材12を綴じ、壁等に設けられたフック部材13に吊下げることにより、被綴じ部材12を掲示できる。
【００１７】
この掲示用ファイル11は、図１に示されるように、被綴じ部材12が綴り込まれた状態では、被綴じ部材12の前側に前面表紙部材14が配置され、被綴じ部材12の後側に背面表紙部材15が配置される。
【００１８】
前面表紙部材14および背面表紙部材15の上側縁部には、綴じ部16が設けられており、さらに、前面表紙部材14の上側縁部には凸部17が一体に形成され、背面表紙部材15の上側縁部には、凸部17と嵌合可能に対応した形状の凹部18が一体に形成されている。
【００１９】
そして、凸部17にはフック係合部19が設けられ、このフック係合部19をフック部材13に係合することで掲示用ファイル11が吊下げられる。
【００２０】
このような形状の前面表紙部材14および背面表紙部材15は、それぞれの綴じ部16にて被綴じ部材12とともに綴じ部材20によって綴じられることで、回動可能に支持される。
【００２１】
このとき、図３に示されるように、凸部17と凹部18とはそれぞれが互いに嵌合可能に対応した形状に形成されているので、前面表紙部材14および背面表紙部材15の回動により、凸部17と凹部18とは衝合することがない。
【００２２】
また、被綴じ部材12として、図２に示すような、上側縁部に前面表紙部材14の凸部17と嵌合可能に対応した形状の凹部18aが形成された紙片収納ホルダを用いることで、被綴じ部材12が凸部17に衝合することなく回動でき、掲示用ファイル11の操作性を向上できるので好ましい。
【００２３】
なお、この実施の形態では、前面表紙部材14に凸部17が形成され、背面表紙部材15に凹部18が形成されているが、前面表紙部材14または背面表紙部材15の凸部17が形成されていない表紙部材における上側縁部に凹部18が形成されていればよいので、前面表紙部材14に凹部18を形成し、背面表紙部材15に凸部17を形成してもよい。
【００２４】
ここで、前面表紙部材14および背面表紙部材15は、例えば合成樹脂製のシート体で形成することにより、前面表紙部材14および背面表紙部材15が容易に成形できるとともに、強度も好ましく、さらに水に濡れることによる破損を防止でき、用途を拡大できるので好ましいが、合成樹脂のシート体で形成することには限定されない。
【００２５】
また、被綴じ部材12として透明な合成樹脂製の紙片収納ホルダを用いると、この被綴じ部材12に例えばレシピ等を収納してキッチン等の水周りで掲示することができる。
【００２６】
図３は、掲示用ファイル11の前面表紙部材14および背面表紙部材15を展開した状態を示すが、前面表紙部材14および背面表紙部材15における凸部17と凹部18とは、それぞれが互いに嵌合可能に対応した形状に形成されており、このような形状にすることで、前面表紙部材14および背面表紙部材15は、一枚のシート体から同時に抜き取って成形することが可能となるので好ましい。
【００２７】
なお、前面表紙部材14および背面表紙部材15は、一枚のシート体から抜き取って成形することに限定されず、前面表紙部材14および背面表紙部材15をそれぞれ別のシート体から形成してもよい。
【００２８】
また、凸部17および凹部18は、前面表紙部材14および背面表紙部材15の上側縁部であれば、この上側縁部の中央部に形成されることに限定はされず、例えば、上側縁部の両側部に形成する等、掲示用ファイル11を吊下げる際に、掲示用ファイル11がバランスを保てればよい。
【００２９】
さらに、凸部17および凹部18の形状や大きさは限定されず適宜設定できる。
【００３０】
綴じ部16は、前面表紙部材14および背面表紙部材15の上側縁部に設けられていれば、その形状は限定されず、例えば円形状や矩形状の穴等が形成され、さらに大きさや形成される数も限定されず、適宜設定できる。
【００３１】
この綴じ部16にて前面表紙部材14および背面表紙部材15を支持する綴じ部材20は、前面表紙部材14と背面表紙部材15と被綴じ部材12とを回動可能に支持できるものであれば限定されず、例えば、ダブルリングやスパイラルリング等、一般的なファイルやバインダ等に用いられるものを使用することができる。
【００３２】
次に、上記第１の実施の形態の作用および効果を説明する。
【００３３】
掲示用ファイル11は、凸部17またはこの凸部17に対して嵌合可能に対応する形状の凹部18のいずれかが、前面表紙部材14または背面表紙部材15の上側縁部にそれぞれ形成され、前面表紙部材14および背面表紙部材15の上側縁部に設けられた綴じ部16にて、前面表紙部材14および背面表紙部材15を被綴じ部材12とともに、綴じ部材20によって回動可能に支持される。
【００３４】
このような掲示用ファイル11では、被綴じ部材12を綴じ込んで収納する場合は、被綴じ部材12が前面表紙部材14と背面表紙部材15との間に位置する状態にして被綴じ部材12を綴じ込む。
【００３５】
また、被綴じ部材12を前側に配置させて掲示する場合は、前面表紙部材14または背面表紙部材15を回動させ、被綴じ部材12が前面表紙部材14および背面表紙部材15の前側に位置する状態にして、凸部17に設けられたフック係合部19とフック部材13とを係合させて、掲示用ファイル11を図３のように吊下げて掲示する。
【００３６】
掲示用ファイル11は、フック係合部19を具備する凸部17またはこの凸部17に対して嵌合可能に対応する形状の凹部18のいずれかが、前面表紙部材14または背面表紙部材15にそれぞれ設けられているので、綴じ部材20によって前面表紙部材14および背面表紙部材15を被綴じ部材12とともに回動可能に支持できる。
【００３７】
また、凸部17または凹部18が、前面表紙部材14および背面表紙部材15の上側縁部に一体形成されているので、シート体を前面表紙部材14および背面表紙部材15の形状に成形し、綴じ部材20を取付けるだけで形成でき、さらに、綴じ部材20として例えばダブルリングやスパイラルリング等のように一般的なファイルやバインダ等に使用されるものを用いることができるので、容易に製造できる。
【００３８】
凸部17と凹部18とはそれぞれが嵌合可能に対応した形状であるので、前面表紙部材14および背面表紙部材15は、一枚のシート体から同時に抜き取って成形することができ、一枚のシート体から成形することでより効率的に製造できる。
【００３９】
次に、第２の実施の形態を図４乃至図６を参照して説明する。なお、上記の実施の形態と同一の構成および作用については、同一符号を付してその説明を省略する。
【００４０】
図４に示されるように、背面表紙部材15の下側縁部に折返し可能な折返部21が形成され、この折返部21の下側縁部の中間部には係合凸部22が設けられている。さらに、前面表紙部材14には係合凸部22が挿通して係合可能な係合孔部23が設けられている。
【００４１】
折返部21は、第１折返部24および第２折返部25から形成され、第１折返部24と第２折返部25との境界線にて折曲できる。
【００４２】
係合凸部22は、突出方向の中間部に折返部21の下側縁部と略平行な折曲線26が形成され、さらに、係合凸部22を折曲線26にて折曲した際に、係合凸部22の先端部とは反対側へ突出する係合維持部27が折曲線26に沿って円弧状に切込み形成されている。
【００４３】
なお、係合維持部27の形状は、円弧状には限定されず、例えば四角形状や三角形状等、係合凸部22を折曲線26にて折曲した際に突出する形状であればよい。
【００４４】
この実施の形態では、折返部21および係合凸部22を背面表紙部材15に設け、係合孔部23を前面表紙部材14に設けたが、この構成には限定されず、前面表紙部材14または背面表紙部材15のいずれかに折返部21および係合凸部22が設けられ、他方の表紙部材に係合孔部23が設けられていればよい。
【００４５】
また、係合凸部22および係合孔部23は、互いに係合可能であれば、その大きさや形状、数および形成場所が限定されず、さらに係合孔部23は、線状切込みにて形成することもできる。
【００４６】
図５に示されるように、掲示用ファイル11は、折返部21を折返し、係合凸部22を係合孔部23の内側から外側へ挿通して係合することにより、前面表紙部材14と背面表紙部材15と折返部21とによって略三角形の形状となり、自立可能となる。
【００４７】
このように自立可能な掲示用ファイル11は、吊下げて掲示することも、自立させて掲示することも可能であるので、用途を拡大できる。
【００４８】
さらに、係合凸部22を係合孔部23の内側から外側へ挿通して係合させた状態で、係合凸部22に設けられた折曲線26にて係合凸部22を折曲すると、係合凸部22の先端部が、前面表紙部材14の外面部であり係合孔部23の上側縁部近傍または下側縁部近傍のいずれかに引掛かり、係合凸部22の先端部とは反対側に突出した係合維持部27が、前面表紙部材14の外面部であり係合孔部23の上側縁部近傍または下側縁部近傍のいずれかに引掛かる。
【００４９】
したがって、係合凸部22と係合孔部23との係合が解除され難く、掲示用ファイル11の自立状態を確実に維持できる。
【００５０】
なお、折曲線26は、係合凸部22の突出方向の中間部に形成されることに限定されないが、係合凸部22の突出方向の中間部に形成されることにより、係合凸部22を係合孔部23に挿通して係合させ、係合凸部22を折曲線26にて折曲した際に、係合凸部22の先端部および係合維持部27が係合孔部23の上側縁部近傍および下側縁部近傍にバランスよく引掛かり、掲示用ファイル11の自立状態を確実に維持できるので好ましい。
【００５１】
図６は、掲示用ファイル11を掲示に使用せず、被綴じ部材12を収容した収容状態を示す。
【００５２】
掲示用ファイル11を収容状態にする場合には、前面表紙部材14と背面表紙部材15との間に被綴じ部材12が位置する状態にする。
【００５３】
ここで、折返部21を第１折返部24と第２折返部25とで折曲すると、第１折返部24をまちとして使用できる。このように、第１折返部24をまちとして使用することにより、被綴じ部材12によって前面表紙部材14と背面表紙部材15とが離間された場合であっても、収容状態を維持し易い。
【００５４】
さらに、第２折返部25は、前面表紙部材14または背面表紙部材15のいずれかに重なり、前面表紙部材14または背面表紙部材15と第２折返部25とが係合する構成とすることにより、確実に収容状態を維持できるので好ましい。
【００５５】
なお、折返部21が第１折返部24および第２折返部25から形成されて、折返部21を折曲できる構成とすることにより、掲示用ファイル11を掲示せずに収容状態にする場合に、収容状態を維持し易くできるので好ましいが、この構成には限定されず、折返部21が第１折返部24および第２折返部25から形成されず、折返部21を折曲できない構成としてもよい。
【図面の簡単な説明】
【００５６】
【図１】本発明に係る第１の実施の形態の掲示用ファイルを示す一部を切り欠いた正面図である。
【図２】同上掲示用ファイルの吊下げ状態を示す正面図である。
【図３】同上掲示用ファイルの展開状態を示す平面図である。
【図４】本発明に係る第２の実施の形態の掲示用ファイルの展開状態を示す平面図である。
【図５】同上掲示用ファイルの自立状態を示す斜視図である。
【図６】同上掲示用ファイルの収容状態を示す断面図である。
【符号の説明】
【００５７】
11    掲示用ファイル
12    被綴じ部材
14    前面表紙部材
15    背面表紙部材
16    綴じ部
17    凸部
18    凹部
19    フック係合部
20    綴じ部材
21    折返部
22    係合凸部
23    係合孔部
26    折曲線
27    係合維持部
【図１】
2009006691.tif 000003
【図２】
2009006691.tif 000004
【図３】
2009006691.tif 000005
【図４】
2009006691.tif 000006
【図５】
2009006691.tif 000007
【図６】
2009006691.tif 000008